(57)【要約】【課題】用紙処理装置の処理時間が長く、用紙の待機装置が無く、接続したプリンタの高速化が生かされず無駄が多かった。また用紙を待機させるためにも、広いスペースを必要とした。【解決手段】用紙処理装置の処理トレイ上で用紙の処理中は、通常搬送手段としている２組のローラ対を使用して複数枚の用紙を待機させる。待機を必要としない通常は、第１ローラ対と第２ローラ対は所定の搬送ローラ対として使用し、処理トレイ上で用紙処理中のとき、または綴じ部や排出部にてのジャム等の時は制御部からの指示で第２ローラ対にて用紙を瓦葺き状に用紙を銜えて待機させる。トレイ上の用紙の処理が終了すると、瓦葺き状に銜えた用紙群を銜えた順にトレイ上に放出する。【選択図】        図１
2004345769.tif 000002
【特許請求の範囲】
【請求項１】
画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段が間欠回転をすることで、上記第一ローラ対手段から送られてくる用紙を瓦葺状に挟持して待機させることを特徴とする用紙処理装置。
【請求項２】
画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段の周速を、上記第一ローラ対手段の周速より減速回転をすることで、送られてくる用紙を瓦葺状に挟持して待機させることを特徴とする用紙処理装置。
【請求項３】
画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段が送られてくる用紙を瓦葺状に挟持する挟持手段と、上記第一ローラ対手段と上記第二ローラ対手段間の設けられた搬送路と、上記第二ローラ対手段が瓦葺き状に挟持している用紙の後端を、上記第一ローラ対手段から次に送られてくる用紙の通路となる上記搬送路から退避させるための開口部を上記搬送路に有することを特徴とする用紙処理装置。
【請求項４】
画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段が送られてくる用紙を瓦葺状に挟持する挟持手段と、上記第一ローラ対手段と上記第二ローラ対手段間に設けられた搬送路と、上記第二ローラ手段が瓦葺き状に挟持している用紙の後端を、上記第一ローラ対手段から次に送られてくる用紙の通路となる上記搬送路から退避させるための開口部を上記搬送路に設け、上記開口部から搬送路外に退避させる放出手段と、を有することを特徴とする用紙処理装置。
【請求項５】
画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第一ローラ対手段と上記第二ローラ対手段との間に搬送路を設け、上記搬送路に開口部を設けて、上記第二ローラ対手段が送られてくる用紙を瓦葺き状に挟持する挟持手段と、上記搬送路に、用紙を弛ませる手段を、有することを特徴とする用紙処理装置。
【請求項６】
画像作成装置から排出された用紙を受け入れ製本して排出する、綴じトレイを有する用紙処理装置であって、上記画像作成装置と上記綴じトレイとの間に第一ローラ対手段と第二ローラ対手段とを有し、上記第一ローラ対手段と上記第二ローラ対手段との間に搬送路を設け、上記搬送路に開口部を設けて、第二ローラ対手段が送られてくる用紙を瓦葺状にして挟持する挟持手段と、挟持した用紙の後端部を上記搬送路の上記開口部方向へ用紙を弛ませ放出するように上記開口部を大きく開き、また用紙をガイドする移動ガイド手段とを、有することを特徴とする用紙処理装置。
【請求項７】
画像作成装置から排出された用紙を受け入れ製本して排出する、綴じトレイを有する用紙処理装置であって、上記画像作成装置と上記綴じトレイとの間に第一ローラ対手段と第二ローラ対手段とを有し、上記第二ローラ対手段から排出された用紙を、上記綴じトレイ上で綴じ処理をする、綴じ手段を設け、上記綴じ手段による処理作業の無いときには、上記第一ローラ対手段と上記第二ローラ対手段は通常の搬送を行い、上記綴じ手段が用紙処理作業中は、上記第二ローラ対手段が、用紙を瓦葺状に挟持する待機状態になることを特徴とする用紙処理装置。
【請求項８】
画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段から排出された用紙を上記綴じトレイ上で綴じ処理をする、綴じ手段を設け、上記綴じ手段による処理作業中に、上記画像作成装置から排出される用紙は、上記第二ローラ対手段が、用紙を瓦葺状にして挟持し、上記綴じ手段による処理が終了し、制御部からの処理終了指令で、上記第二ローラ対手段が挟持していた用紙群を、上記綴じトレイ上に放出することを特徴とする用紙処理装置。
【請求項９】
画像作成装置から排出された用紙を受け入れ製本して排出する、綴じトレイを有する用紙処理装置であって、上記画像作成装置から排出された用紙を搬送する第一ローラ対手段と、上記第一ローラ手段と同じ搬送する働きと、受け入れた用紙を瓦葺き状に挟持する働きをする第二ローラ対手段と、送られてきた用紙を上記綴じトレイ上で揃え、綴じ処理をする綴じ手段と、綴じ処理が終了して排出口に排出する排出手段とを有し、上記綴じ手段と上記排出手段における事故の場合、上記画像作成装置から排出される用紙は、上記第二ローラ対手段が、用紙を瓦葺状にして挟持し、待機することを特徴とする用紙処理装置。
【発明の詳細な説明】
【０００１】
【発明が属する技術分野】
本発明は、複写機、印刷機、プリンタ等の画像作成装置に接続して用いられる用紙処理装置に関する。
【０００２】
【従来の技術】
従来、用紙処理装置は複写機やプリンタ等、画像作成装置に接続されて画像作成装置から排出された用紙を用紙仕分け機に送り、仕分けをし、その仕分けした用紙群を綴じ機や穴あけ機などにて後処理を行い、その間、画像作成装置の作像作業を停止したりしていた。また画像作成装置に接続した綴じ機などの場合は綴じ作業中は画像作成装置の画像作成を一時停止している。
【０００３】
しかし、画像作成装置の排出スピードが高速化し、用紙処理装置が例えば綴じなどの処理中、どうしても画像作成装置の画像作成作業を一時停止せざるを得ないのが現状である。そして画像作成装置内の用紙搬送路の長さと、綴じ機の綴じ部トレイ間までの搬送路は長く、今後の高速化に対しては当然用紙処理装置の高速化も考えられるが、待機用紙容量の多い待機手段が必要となる。
【０００４】
【発明が解決しようとする課題】
解決しようとする課題は、用紙処理装置の綴じトレイ上で綴じ作業中は画像作成装置から送り出されてきた用紙は綴じトレイ上に受け入れることは出来ないため、画像作成装置での画像作成を停止していた。そのためロスタイムが多く生産性も悪かった。その対策に用紙処理装置の処理スピードを上げることも重要であるが、画像作成装置の作像を用紙処理装置の処理中は、作像された用紙を十分に待機出来る待機手段が無い問題があった。また製本の排出部にて詰まった場合や綴じ作業で事故があった場合、用紙処理装置の停止や画像作成装置を停止するため各搬送路にある用紙の除去が大変な作業になる問題があった。
【０００５】
本発明は、上記問題点にかんがみ画像作成装置が用紙上に画像を作成、排出する作像された用紙を用紙処理装置の綴じトレイに所定枚数収容し、綴じ作業を行い製本し終わった束冊子を排出するが、その綴じ作業中に次の綴じグループの用紙が次々と用紙処理装置に送り込まれる。これらの次グループの用紙を綴じトレイの上方にある待機装置である待機手段で送り込まれた順に待機させて、製本作業の終了後に直ちに綴じトレイに送り込み、画像作成装置を停止させることなく、続けて次のグループの製本が行え、効率よく生産性を挙げられることを最も主な目的とする。また待機装置の後方の綴じトレイ上に発生する問題や綴じ部や排出部などの問題で、その部分の動きを停止したときに、画像作成装置の作像中の作業は停止せずに完了させて、待機装置にまで送り込み待機させることが出来る。この事によって、画像作成装置内の搬送路中の用紙を、ジャム紙として除去する大変な作業も無くなる。
【０００６】
【課題を解決するための手段】
請求項１に係る発明は、画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段が間欠回転をすることで、上記第一ローラ対手段から送られてくる用紙を瓦葺状に挟持して待機させる構成とする。
【０００７】
請求項２に係る発明は、画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段の周速を、上記第一ローラ対手段の周速より減速回転をすることで、送られてくる用紙を瓦葺状に挟持して待機させる構成とする。
【０００８】
請求項３に係る発明は、画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段が送られてくる用紙を瓦葺状に挟持する挟持手段と、上記第一ローラ対手段と上記第二ローラ対手段間の設けられた搬送路と、上記第二ローラ対手段が瓦葺き状に挟持している用紙の後端を、上記第一ローラ対手段から次に送られてくる用紙の通路となる上記搬送路から退避させるための開口部を上記搬送路に有する構成とする。
【０００９】
請求項４に係る発明は、画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段が送られてくる用紙を瓦葺状に挟持する挟持手段と、上記第一ローラ対手段と上記第二ローラ対手段間に設けられた搬送路と、上記第二ローラ手段が瓦葺き状に挟持している用紙の後端を、上記第一ローラ対手段から次に送られてくる用紙の通路となる上記搬送路から退避させるための開口部を上記搬送路に設け、上記開口部から搬送路外に退避させる放出手段と、を有する構成とする。
【００１０】
請求項５に係る発明は、画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第一ローラ対手段と上記第二ローラ対手段との間に搬送路を設け、上記搬送路に開口部を設けて、上記第二ローラ対手段が送られてくる用紙を瓦葺き状に挟持する挟持手段と、上記搬送路に、用紙を弛ませる手段を、有する構成とする。
【００１１】
請求項６に係る発明は、画像作成装置から排出された用紙を受け入れ製本して排出する、綴じトレイを有する用紙処理装置であって、上記画像形成装置と上記綴じトレイとの間に第一ローラ対手段と第二ローラ対手段とを有し、上記第一ローラ対手段と上記第二ローラ対手段との間に搬送路を設け、上記搬送路に開口部を設けて、第二ローラ対手段が送られてくる用紙を瓦葺状にして挟持する挟持手段と、挟持した用紙の後端部を上記搬送路の上記開口部方向へ用紙を弛ませ放出するように上記開口部を大きく開き、また用紙をガイドする移動ガイド手段とを、有する構成とする。
【００１２】
請求項７に係る発明は、画像作成装置から排出された用紙を受け入れ製本して排出する、綴じトレイを有する用紙処理装置であって、上記画像作成装置と上記綴じトレイとの間に第一ローラ対手段と第二ローラ対手段とを有し、上記第二ローラ対手段から排出された用紙を、上記綴じトレイ上で綴じ処理をする、綴じ手段を設け、上記綴じ手段による処理作業の無いときには、上記第一ローラ対手段と上記第二ローラ対手段は通常の搬送を行い、上記綴じ手段が用紙処理作業中は、上記第二ローラ対手段が、用紙を瓦葺状に挟持する待機状態になる構成とする。
【００１３】
請求項８に係る発明は、画像作成装置から排出された用紙を受け入れ製本して排出する、綴じトレイを有する用紙処理装置であって、上記画像作成装置と上記綴じトレイとの間に第一ローラ対手段と、第二ローラ対手段とを有し、上記第二ローラ対手段から排出された用紙を上記綴じトレイ上で綴じ処理をする、綴じ手段を設け、上記綴じ手段による処理作業中に、上記画像作成装置から排出される用紙は、上記第二ローラ対手段が、用紙を瓦葺状にして挟持し、上記綴じ手段による処理が終了し、制御部からの処理終了指令で、上記第二ローラ対手段が挟持していた用紙群を、上記綴じトレイ上に放出する構成とする。
【００１４】
請求項９に係る発明は、画像作成装置から排出された用紙を受け入れ製本して排出する、綴じトレイを有する用紙処理装置であって、上記画像作成装置から排出された用紙を搬送する第一ローラ対手段と、上記第一ローラ手段と同じ搬送する働きと、受け入れた用紙を瓦葺き状に挟持する働きをする第二ローラ対手段と、送られてきた用紙を上記綴じトレイ上で揃え、綴じ処理をする綴じ手段と、綴じ処理が終了して排出口に排出する排出手段とを有し、上記綴じ手段と上記排出手段における事故の場合、上記画像作成装置から排出される用紙は、上記第二ローラ対手段が、用紙を瓦葺状にして挟持し、待機する構成とする。
【００１５】
【発明の実施の形態】
以下、本発明に係る用紙処理装置の実施形態について添付図面を参照して説明する。
【００１６】
図１は、本発明装置の実施例の概略図で、１は画像作成制御装置（パソコンと称する）で２は画像作成装置（プリンタと称する）で３は用紙処理装置である。
【００１７】
パソコン１は、ディスプレイ、操作用キーボード、スキャナー等で構成されていて画像の作成、編集、加工、読み取り、ページ設定や部数設定など様々な設定と入力と選択されたモード、装置の示す状態などを表示する事などが行われる。
【００１８】
パソコン１では、スキャナーで読み取った画像や外部入力機器から送られてきた画像や作成した画像などを蓄積し、蓄積後にページ入れ替えや編集などを行う。
又、画像作成装置としてのプリンタ２は、給紙手段を有しパソコン１から送られてくる画像を、給紙部から送られてくる用紙上に作成する。プリンタ２はインクジェット方式や静電写真方式で画像を作成する方式が一般的である。
プリンタ２は、用紙を装備していてパソコン１からの指示で用紙を供給し用紙上に作像してコピー紙４として、用紙処理装置３へ送り出す。
【００１９】
図２は本方式を使用して製本する標準的な実施例である。用紙処理装置３は、図に示すように用紙待機部６と整合部７と綴じ部８、排出部９とから構成され、用紙待機部６は、受け入れ部１１と待機部１２とから構成される。
【００２０】
受け入れ部１１は、図３で示すようにコピー紙４が送り込まれて来た時に、コピー紙４をガイドする上ガイド板２１と下ガイド板２２と送られてきたコピー紙４の検知をするＡセンサ２４とコピー紙４を送る第一ローラ対手段としてのＡローラ２５とＢローラ２６とがある。Ａローラ２５は、本体側板に軸受けされＡ  スプリング２７にて加圧されＢローラ２６上に載っている。Ｂローラ２６は、Ａプーリ２８の回転により回転する。本体側板に軸受けされ側板に取り付けられたＡ  モータ３０の軸に一体に取り付けられたＢ  プーリ２９の回転によりＡベルト３３を介してＡ  プーリ２８が、回転し、これに一体に取り付けられたＢローラ２６を回転する。Ａローラ２５とＢローラ２６は夫々矢印方向に、プリンタ２から送られてくるコピー紙４の周速のＶ速で回転する。
【００２１】
移動ガイド板２３は、常時は基準位置Ｇ位置にあり、移動ガイド位置センサ３６があって、基準位置ＧとＨ位置に移動するように、図示されない制御手段によってＢモータ３５を回転して行われる。移動ガイド板２３の移動は、Ａ軸３４を中心にＧ位置からＨ位置に回転するようＡ軸３４に取り付けられたＡ歯車３１と噛み合わされたＢ歯車３２があり、Ｂ歯車３２が、本体側板に固定されたモータ３５の軸に一体になり、モータ３５の回転によって、Ｇ位置とＨ位置とに移動する。
【００２２】
図３に示す用紙待機部１２は、上ガイド板２１に取り付けられたＣセンサ４４とカバー４８内の本体側板に軸受けされたＤローラ４２とその上にＣスプリング４３によって圧がかけられＤローラ４２に載って、Ｃローラ４１があり、夫々の軸に歯車が一体に取り付けられている。そして、側板に取り付けられたＣモータ４９の軸と一体になったＤプーリ４６がＣモータ４９の回転でＢベルト４７を介しＣプーリ４５が回転し、Ｃプーリ４５と一体になったＤローラ４２とＣローラ４１が回転する。
【００２３】
受け入れ部１１の第一ローラ対手段としてのＢローラ２６、Ａローラ２５は常時プリンタ２が排出する用紙周速のＶ速で回転をする。第二ローラ対手段としてのＣローラ４１とＤローラ４２は、Ｃモータ４９によって回転されるが、図示されない制御手段によって常時は、第一ローラ対手段としてのＢローラ２６、Ａローラ２５と同周速のＶ速で回転し、綴じ部８が製本作業中の待機時、または綴じ部や排出部が故障などの時は、待機動作をするように制御される。即ち、第二ローラ対手段としてのＣローラ４１とＤローラ４２を、第一ローラ対手段の周速Ｖの約２０分の１に減速回転し、送られてくる用紙先端を瓦葺き状に挟持し、用紙後端を開口部１３から放出し、待機させる。この方法であると２０分の１に減速回転させるだけで約２０枚は待機させる事が出来るので制御も簡単である。また瓦葺き状に用紙を挟持する方法としては、例は２０分の１にＣローラ４１とＤローラ４２の周速を減速したが、約２分の１から約３０分の１に減速しても良い。これは待機させる用紙の容量で決める。
また、第二ローラ対手段が所定量回転、停止させて行う事も出来る。低速で回転し所定量送って停止しても、またＶ速で所定量送って停止しても良い。
【００２４】
図４と図５に示す整合部７は、本体両側板に固定されたＥ軸５２に揺動自由になったトレイ５１の上側位置決め上ストッパ５４と下側位置決めの下ストッパ５５によって揺動の位置決めをされる。トレイ５１は、トレイ５１側面に取り付けられた支点Ｅ５６に連結されたリンク５７が両側板に軸受けされたＦ軸６１に固定されたＦ歯車６０に取り付けられたＦ支点５８に連結し、Ｆ歯車６０には側板に取り付けられたＥモータ６２の軸と一体になったＥ歯車５９とが噛み合いＥモータ６２の回転とセンサ５３によってトレイ５１の最上位置のＭ位置と最下位置のＮ位置の一点鎖線位置とに駆動制御される。
【００２５】
図４に示す排出部９は、側板に取り付けられたＦモータ６７軸に固定されたＧ歯車６６と噛み合うＦ歯車６５とによって排出ローラ６３が回転される。
トレイ５１が一点鎖線位置の下方に移動してきた時に、排出ローラ６３は、図５に示す、トレイ５１のローラ穴９８に位置し、トレイ５１上面にローラ穴９８から排出ローラの６３の一部が顔を出す。この時サイドガイド板８３が、Ｔ位置の用紙を揃える位置にあれば、排出ローラ６３とサイドガイド板８３の上板６９の間にコピー紙４群の束冊子を挟む構成になる。さらに排出ローラ６３は、回転中心位置が移動出来るようになっている。排出ローラ６３は、スプリングにて所定位置に押し付けられ、束冊子を排出する時、サイドガイド板８３の上板６９との間に種々の厚さの束冊子を挟んでも所定圧で、後述の束冊子を排出口１０に排出する構成になっている。
【００２６】
図４に示す綴じ部８は、用紙群の先端が入り込んで揃えられる開口部を持つステープラ７５とストッパ７１とそのストッパ７１の回転中心軸となる軸７２で構成される。また、ストッパ７１は用紙の先端の位置決めとして常時はスプリング７３と位置ピン７６によってＪ位置にあり、ソレノイド７４によってＫ位置に揺動される構成になっている。
【００２７】
図５はトレイ５１を上から見た図である。本体側板に固定されたＥ軸５２を中心に揺動するトレイ５１の上部には、エンドガイド板８０とサイドガイド板８３とが配置され、エンドガイド板８０は、トレイ５１上に、そのトレイ裏面に装備されたＥｎモータ８２とＥｎプーリ９４、Ｅプーリ９５、Ｅベルト９６、Ｅｎピニオン９７とエンドガイド板８０と一体的にトレイ５１の裏面に取り付けられたＥｎラック９３とによって構成され、Ｅｎモータ８２の回転によりＥｎセンサ８１位置を基準に用紙群を綴じる位置Ｐに移動する。エンドガイド板８０が移動する一番外側基準位置Ｒにセンサ８１が取り付けてあり、エンドガイド板８０が、基準位置Ｒと用紙群の綴じる位置Ｐと、綴じが終了してステープラ７５の開口部から戻される位置Ｑの夫々の位置に移動するよう図示されない制御部によって制御される。
【００２８】
また、サイドガイド板８３は、送り込まれるコピー紙４の中心に対して、本例は左右に配置しているが、一方側を固定して、他方側だけ移動するようにしても良い。トレイ５１上面には、サイドガイド板８３が基準位置ＳからＴ位置に移動出来るように、トレイ５１に設けられたガイド穴８４にピン８５が嵌合し、サイドガイド板８３裏面に固定されたラック板８８が、Ｓモータ９２によって駆動されるピニオン８７によって移動するようになっている。
サイドガイド板８３の移動の基準はセンサ８６によって、Ｓ位置から用紙の揃え位置のＴ位置への移動の制御が行われる。
【００２９】
次に動作について説明する。
まず用紙処理装置３の電源を入れると、移動ガイド板２３はＧ位置に、整合部７のトレイ５１は最上位置ＭにしてＥモータ６２は停止する。Ａストッパ７１はソレノイド７４のＯＦＦでＪ位置に、トレイ５１の上のエンドガイド板８０はＥｎモータ８２を回してＲ位置に移動する。サイドガイド板８３はＳモータ９２を回転してＳ位置に移動する。ステープラ７５は用紙待機状態の開口位置で待機する。
【００３０】
コピー紙４がプリンタ２から送られてきて、用紙待機部６の受け入れ部１１に送られてきたコピー紙４をＡセンサ２４が検知するとＡモータ３０と、Ｃモータ４９が回転を始める。この場合、Ａローラ２５、Ｂローラ２６、Ｃローラ４１、Ｄローラ４２は、プリンタ２の送り出すコピー紙４の周速で回転をする。第１枚目のコピー紙４が送られてきてＡローラ２５、Ｂローラ２６とＤローラ４２、Ｃローラ４１とによってトレイ５１上に放出される。この時にＣセンサ４４がコピー紙４の後端を検知して所定時間後、コピー紙４がトレイ５１の装備するエンドガイド板８０はＥｎモータ８２の回転によりコピー紙４の綴じ位置の後端位置Ｐに移動し、コピー紙４をＡストッパ７１に押し付け基準位置Ｒに戻る。またサイドガイド板８３もＳ位置からＳモータ９２の回転によりＴ位置に移動しコピー紙４のサイドを揃え、Ｓ位置に戻る。
【００３１】
次に、２枚目が送られてくる。送り進行のコピー紙４の後端をＣセンサ４４が検知し所定時間後にエンドガイド板８０、サイドガイド板８３が用紙を揃え、夫々Ｒ位置、Ｓ位置に戻る。同様に綴じられるグループの最終のコピー紙４が送られてくる。図示されない制御部からの綴じられるグループ最終のコピー紙４の指示で、その最終コピー紙４を揃え、サイドガイド板８３、エンドガイド板８０夫々が用紙揃え位置、即ち、綴じ位置、エンドガイド板８０はＰ位置、サイドガイド板８３はＴ位置に停止して、コピー紙４群を揃えた位置のまま、ステープラ７５が制御部からの指示で、綴じ作業を開始する。所定箇所を綴じ、ステープラ７５が元位置に戻り、サイドガイド板８３は、綴じられたコピー紙４群である束冊子のサイドの押さえを少し緩めて、束冊子が移動しやすくするために矢印Ｙ方向へ約１ミリ移動し、エンドガイド板８０はＰ位置からＱ位置に移動する。所定時間後ソレノイド７４が作動しストッパ７１がＪ位置からＫ位置へ移動し、綴じられた束冊子をステープラ７５の開口部から押し出し、束冊子の綴じた反対側の後端をＱ位置に戻し、ストッパ７１はＪ位置に戻る。
【００３２】
その後Ｅモータ６２が回転を始め、トレイ５１がＭ位置からＮ位置、図４の一点鎖線位置に移動をする。Ｅモータ６２が回転を始めると同時にモータ６７も回転を始め、排出ローラ６３を矢印方向に回転する。またエンドガイド板８０がＱ位置からＰ位置に移動して束冊子を排出口１０方向へ押し出す。トレイ５１が一点鎖線位置の最下位、Ｎ位置に移動して排出ローラ６３とサイドガイド板８３の上板６９との間に綴じられた束冊子が挟まれ、排出ローラ６３の時計方向の回転で束冊子は下方の排出口１０に排出される。Ｄセンサ６８が束冊子の後端を検知して、エンドガイド板８０はＰ位置からＲ位置へ、サイドガイド板８３はＳ位置に戻る。その後、Ｅモータ６２が回転を始め、センサ５３がトレイ５１を検知しＥモータ６２は停止し、トレイ５１は上ストッパ５４によって位置決めされ基準のＭ位置に停止し、製本作業は終了する。
【００３３】
以上が通常の１冊だけの製本作業である。しかし、この製本作業を連続して行う時には次のようになる。
連続して製本作業をする時には、図１１で示す１１−３の製本作業中に、次に綴じられるコピー紙４が送り込まれて来る。前のコピー紙４群の製本作業中、即ち図１１の１１−１２から１１−２４までの間、綴じられてトレイ５１に装備したＤセンサ６８が前のコピー紙４群の排出を検知し、トレイ５１がＭ位置に戻るまでは、製本作業中になる。トレイ５１がＭ位置に戻り、センサ５３が検知すると、図示されない制御部から図１１の１１−３の製本作業中が終了になる。
【００３４】
その製本作業中は、図１０の１１−１０，１１−１１の流れで、受け入れ部１１のＡセンサ２４がコピー紙４を検知し、Ａローラ２５、Ｂローラ２６が回転を始め、コピー紙４を受け入れるが、Ｃローラ４１、Ｄローラ４２は図示されない制御部からの指令により、Ａローラ２５、Ｂローラ２６の２０分の１の周速で回転する。一方Ａローラ２５、Ｂローラ２６は通常の速さのＶ速で回転するので、コピー紙４の弛みはどんどん大きくなる。
【００３５】
コピー紙４先端が、Ｃローラ４１、Ｄローラ４２間に銜えられた時、Ｂモータ３５が回転を始め、移動ガイド板２３がＧ位置から所定角度回転したＨ位置に移動する。Ａローラ２５、Ｂローラ２６が送り出すコピー紙４は先端が押さえられているので上ガイド板２１によってガイドされ、開口部１３より下方にふくらみ、その後そのコピー紙４の後端は用紙自身の重量もあり、開口部１３より飛び出す。コピー紙４の後端が十分に開口部１３より飛び出した後、Ｂモータ３５が回転して移動ガイド板２３を基準位置Ｇ位置に戻し、次のコピー紙４を待つ。
【００３６】
また次のコピー紙４が送り込まれ同様にコピー紙４の先端が前に銜えられた用紙の上を滑りながら進み、前に銜えられたコピー紙４の先端と距離ｄだけ、ずれた位置で銜えられる。前に送り込まれたコピー紙４とは瓦葺き状態にＣローラ４１、Ｄローラ４２とに銜えられて移動しながら次に送られてくるコピー紙４を待機する。
【００３７】
第二ローラ対手段としてのＣローラ４１、Ｄローラ４２とによって瓦葺き状にコピー紙４を銜えることが出来れば待機の目的が達せられるから、コピー紙先端間のずれ量ｄは大体５ミリ以上あれば、瓦葺き状に銜えられる。
【００３８】
Ｃローラ４１、Ｄローラ４２間にコピー紙４を瓦葺き状に挟持し、待機させる方法として、Ｃローラ４１、Ｄローラ４２を、減速回転させる。例えばＣローラ４１、Ｄローラ４２の周速を、Ａローラ２５、Ｂローラ２６の周速の２分の１にすると、Ｃローラ４１、Ｄローラ４２が、一枚目のコピー紙４を受け取って、コピー紙４の長さの約２分の１送ったときに次のコピー紙４が来る。送られてくるコピー紙４とコピー紙４との間隔を無視して、続いて送られて来ると考えると、２枚は待機できる。周速を２０分の１に減速すれば約２０枚は待機出来る。
【００３９】
またＣローラ４１、Ｄローラ４２が瓦葺き状にコピー紙４を銜える方法として、通常速さのＶ速でＡローラ２５、Ｂローラ２６とＣローラ４１、Ｄローラ４２間の距離とずれ量ｄとをプラスした距離をＡローラ２５、Ｂローラ２６がコピー紙４を送り出したところで、Ｃローラ４１、Ｄローラ４２の回転を停止して次のコピー紙４がＣローラ４１、Ｄローラ４２に到達するのを待つ方法もある。確実にずれ量ｄを保つために、Ａセンサ２４がコピー紙４を検知しＡローラ２５、Ｂローラ２６がコピー紙４をＶ速で送り、Ｃローラ４１、Ｄローラ４２に到達するタイミングでＣローラ４１、Ｄローラ４２の回転を始め、ずれ量ｄを送り、停止する。この場合のＣローラ４１、Ｄローラ４２の周速の遅速は関係ないが低速である方が安定していてよい。
Ｃローラ４１、Ｄローラ４２は、減速して継続回転させる事は制御上簡単でよい。また用紙を受け取ってから所定間隔のずれ量ｄだけ回転し、次にコピー紙４が送られてくるまで停止して待っても良い。
【００４０】
トレイ５１上のコピー紙４群が綴じられ、製本された束冊子が排出口１０に排出され、トレイ５１がＭ位置に戻り所定時間後に、図示されない制御部から製本作業終了の指令がでる。Ｃモータ４９によって回転されるＣローラ４１、Ｄローラ４２が、Ａローラ２５、Ｂローラ２６と同じ周速で回転し、トレイ５１上にＣローラ４１、Ｄローラ４２間に瓦葺き状に待機していた複数枚のコピー紙４を放出する。
【００４１】
トレイ５１上に放出されたコピー紙４は、サイドガイド板８３とエンドガイド板８０とによって綴じ位置に揃えられ、次に送られてくるコピー紙４を待つ。プリンタ２から続けてコピー紙４が送られてトレイ５１上に放出され、綴じ位置に揃える。綴じグループの最終コピー紙４がトレイ５１上に送られてきて、コピー紙４の後端をＣセンサ４４で検知し、綴じグループ最終コピー４の送入完了で、所定時間後に、綴じ作業を開始する。一方、次の綴じグループのコピー紙４がプリンタ２から送り込まれ、待機部１２に待機させられることによって連続して製本を行うことが出来る。
【００４２】
図６は待機部１２のコピー紙４群の待機状態図で、瓦葺き状にコピー紙４を第二ローラ対手段であるＣローラ４１、Ｄローラ４２がｄ間隔に銜えて待機している図である。待機枚数が多ければずれ量ｄが１０ミリ間隔でも、また少ない場合は１枚でも、その待機時間またはその待機させる枚数に合わせて、Ｃローラ４１、Ｄローラ４２のコピー紙４群の銜えるずれ量ｄが決められる。
そして、製本作業の終了でＣローラ４１、Ｄローラ４２の周速をＡローラ２５，Ｂローラ２６の周速と同じＶ速で、銜えていたコピー紙４群をトレイ５１上に放出する。
【００４３】
図７は移動ガイド板２３を使用しない時の例であり、上ガイド板２１に突起５０を設けコピー紙４がＡローラ２５，Ｂローラ２６とによって送られる時に、やや下側に向けられるが、コピー紙４の剛性もありカバー４８に到達、ガイドされて、Ａローラ２５，Ｂローラ２６の周速の２０分の１に減速したＣローラ４１、Ｄローラ４２間に銜えられ、送られる。そのコピー紙４の後端はＡローラ２５，Ｂローラ２６によって通常周速のＶ速で送り出され突起５０によって、その弛みが開口部１３方向に曲げられ、開口部１３から、後端が放り出される。カバー４８が、１枚目のコピー紙４がＣローラ４１、Ｄローラ４２間に到達する形状になっていれば２枚目以降は銜えられた用紙の上を滑りガイドされるので、安定してガイドされる。
【００４４】
図８は上ガイド板２１に突起５０を設けないときの実施例で、開口部１３の反対側にコピー紙４を開口部１３方向に弛ませる手段としての部材、例えばファン１６でコピー紙４が弛む時にエアーを矢印方向に吹き付ける例である。そして、コピー紙４を安定してガイドするために回転ガイド板３７を設けて、コピー紙４をガイドするときにはＷ位置にあり、コピー紙４の後端を開口部１３から放出するときはＸ位置に移動する例である。
【００４５】
図９はコピー紙４を、開口部１３方向に弛ませる弛ませ部材としての用紙押し出し板３９とコピー紙４を確実にガイドする手段としての回転ガイド板３７を設けた例である。製本作業中でない通常のときは、Ａローラ２５，Ｂローラ２６とＣローラ４１、Ｄローラ４２はプリンタ２の用紙搬送速度と同じ速度で回転している。その時、用紙押し出し板３９はＰ位置に、回転ガイド板３７はＷ位置にある。
【００４６】
製本作業中にプリンタ２からコピー紙４が送られてきて、Ａセンサ２４がコピー紙４を検知してＡローラ２５，Ｂローラ２６は通常周速で、Ｃローラ４１、Ｄローラ４２は減速した速度で回転する。コピー紙４先端がＣローラ４１、Ｄローラ４２間に銜えられると同時に回転ガイド板３７がＷ位置からＸ位置に軸３８を中心に、図示されないソレノイドによって回転し、一方、用紙押し出し板３９も軸１５を中心に図示されないソレノイドによってＰ位置からＱ位置に回転する。そのことでＣローラ４１、Ｄローラ４２に先端が銜えられたコピー紙４の後端が開口部１３から放出される。その所定時間後夫々の初期位置、回転ガイド板３７はＷ位置に、用紙押し出し板３９はＰ位置に戻り次の用紙を待つ。
【００４７】
図１０は弛ませ部材も移動ガイド手段を有しない実施例である。第一ローラ対手段としてのＡローラ２５，Ｂローラ２６と第二ローラ対手段としてのＣローラ４１、Ｄローラ４２間の距離Ｌが、コピー紙４の長さに近く設定出来る場合である。この場合であるとコピー紙４を弛ませる必要も無いので弛ませるための部材を必要とせず、開口部１３もコピー紙４の後端が次に送られてくるコピー紙４の先端がぶつからないように回避するように設ける。そしてＣローラ４１、Ｄローラ４２間にコピー紙４先端がスムーズに到達するようにカバー４８の形状を形成する。
【００４８】
【発明の効果】
本発明によればプリンタが高速でコピー紙４を排出しても、用紙処理装置の綴じトレイ上で綴じ作業を行っている間、コピー紙４の待機手段を綴じトレイの上方に設けることによって綴じ作業の終了するまでプリンタを停止することなく、用紙処理が行えるので、生産性の良い作業が行える。
機構も簡単で、少ないスペースで、搬送路中のローラ対の簡単な制御で容量の多いコピー紙４の待機が出来、高速プリンタと連結しても無駄なく、綴じ等の用紙処理ができる。また用紙処理装置の綴じトレイ上で綴じ不良が発生しても、プリンタが作成したコピー紙４を本待機手段にて受け入れ、待機させることにより、プリンタの作業を停止させる事無く、紙詰まり処理も簡単になる。
【図面の簡単な説明】
【図１】本発明に係る用紙処理装置と画像作成装置と画像作成制御装置の概略構成図
【図２】用紙処理装置の構造を示す断面図
【図３】用紙待機部の説明用断面図
【図４】整合部と排出部と綴じ部の説明用断面図
【図５】整合部の説明用平面図
【図６】用紙瓦葺き状の待機状態図
【図７】実施例３の説明用断面図
【図８】実施例４の説明用断面図
【図９】実施例５の説明用断面図
【図１０】実施例６の説明用断面図
【図１１】実施例のフローチャート
【図１２】実施例のフローチャート、図１１の続き
【符号の説明】
１    パソコン
２    プリンタ
３    用紙処理装置
４    コピー紙
６    用紙待機部
７    整合部
８    綴じ部
９    排出部
１１  受け入れ部
１２  待機部
【図１】
2004345769.tif 000003
【図２】
2004345769.tif 000004
【図３】
2004345769.tif 000005
【図４】
2004345769.tif 000006
【図５】
2004345769.tif 000007
【図６】
2004345769.tif 000008
【図７】
2004345769.tif 000009
【図８】
2004345769.tif 000010
【図９】
2004345769.tif 000011
【図１０】
2004345769.tif 000012
【図１１】
2004345769.tif 000013
【図１２】
2004345769.tif 000014